(57)【要約】【課題】所望の画面の表示構成をモニタの構成に拘らず表示可能な医用画像システムを提供すること。【解決手段】各種画面を表示する一又は複数のモニタを有する医用画像表示装置５を備える医用画像システム１において、ユーザＩＤ毎及び表示装置ＩＤ毎に画面毎の表示設定情報を含む表示設定テーブル３２５記憶する記憶部３２と、ユーザＩＤ及び当該ユーザＩＤに対応するユーザが使用する医用画像表示装置５の表示装置ＩＤに応じて、記憶部３２に記憶された表示設定テーブル３２５に基づき、当該医用画像表示装置５が有するモニタ上に画面を表示させる医用画像システム１。【選択図】図９
2008229244.tif 000002
【特許請求の範囲】
【請求項１】
各種画面を表示する一又は複数のモニタを有する医用画像表示装置を備える医用画像システムにおいて、
ユーザを識別するユーザ識別情報毎及び前記医用画像表示装置を識別する表示装置識別情報毎に前記画面毎の表示設定情報を記憶する記憶手段と、
前記ユーザ識別情報及び当該ユーザ識別情報に対応するユーザが使用する前記医用画像表示装置の前記表示装置識別情報に応じて、前記記憶手段に記憶された表示設定情報に基づき、当該医用画像表示装置が有するモニタ上に前記画面を表示させる表示制御手段と、
を備えた医用画像システム。
【請求項２】
前記表示設定情報は、
当該表示装置識別情報に対応する前記医用画像表示装置が有するモニタに表示される前記画面の種類、当該各画面の表示サイズ、当該各画面の表示位置、当該各画面の表示状態を示す情報を含む請求項１に記載の医用画像システム。
【請求項３】
前記医用画像表示装置が有するモニタ上に表示されている画面を閉じる場合、当該画面の種類、当該画面が閉じられる直前の画面の表示サイズ、表示位置及び表示状態を、当該画面を表示させた前記表示設定情報に書き替える書替制御手段を備えた請求項１又は２に記載の医用画像システム。
【発明の詳細な説明】
【技術分野】
【０００１】
本発明は、医用画像システムに関する。
【背景技術】
【０００２】
近年、病院での医用画像の電子データ化がすすみ、医用画像の撮影から表示までの一連の処理を担う医用画像システムが構築されている。これは撮影装置等により得られた医用画像のデータを大容量メモリに保存し、サーバがこれを管理して診察室等に病院内の各地に設置されている医用画像表示装置に配信するものである。
【０００３】
医用画像の読影時には、医師は複数の医用画像を並べて観察したり、医用画像とともに患者リスト画面やレポート作成画面等を並列に表示させる場合があるので、医用画像表示装置ではモニタは一つだけでなく、複数備えているものも多い。
【０００４】
医用画像表示装置を使用する毎にどのモニタにどのような表示内容を表示させるのかを設定するのは煩雑であるため、従来から医師毎に表示構成を定めてサーバに登録しておき、医用画像表示装置へのログイン時にログインした医師に対応する表示構成をサーバから取得してこれに基づく表示を行うことが行われていた（例えば、特許文献１参照）。
【特許文献１】特開平１１−２８２９３６号公報
【発明の開示】
【発明が解決しようとする課題】
【０００５】
しかしながら、病院内の設備構成によっては、各医師専用に医用画像表示装置を設けることは難しいため、医師は、前回使用した医用画像表示装置を次回も使用できるとは限らない。この場合、前回使用した医用画像表示装置と今回使用する医用画像表示装置とのモニタの数が異なる場合、前回と同様な位置に各画面を表示させることができない。また、前回使用した医用画像表示装置と今回使用する医用画像表示装置とのモニタの解像度が異なる場合、モニタの解像度によって表示される画面のサイズや位置が異なってしまう。
そのため、医師は、再度、各画面を見やすい大きさやサイズに調整しなくてはならず、非常に煩雑である。
【０００６】
本発明の課題は、所望の画面の表示構成をモニタの構成に拘らず表示可能な医用画像システムを提供することである。
【課題を解決するための手段】
【０００７】
請求項１に記載の発明によれば、各種画面を表示する一又は複数のモニタを有する医用画像表示装置を備える医用画像システムにおいて、ユーザを識別するユーザ識別情報毎及び前記医用画像表示装置を識別する表示装置識別情報毎に前記画面毎の表示設定情報を記憶する記憶手段と、前記ユーザ識別情報及び当該ユーザ識別情報に対応するユーザが使用する前記医用画像表示装置の前記表示装置識別情報に応じて、前記記憶手段に記憶された表示設定情報に基づき、当該医用画像表示装置が有するモニタ上に前記画面を表示させる表示制御手段を備えた医用画像システムが提供される。
【０００８】
請求項２に記載の発明は、請求項１に記載の医用画像システムにおいて、前記表示設定情報は、当該表示装置識別情報に対応する前記医用画像表示装置が有するモニタに表示される前記画面の種類、当該各画面の表示サイズ、当該各画面の表示位置、当該各画面の表示状態を示す情報を含む。
【０００９】
請求項３に記載の発明は、請求項１又は２に記載の医用画像システムにおいて、前記医用画像表示装置が有するモニタ上に表示されている画面を閉じる場合、当該画面の種類、当該画面が閉じられる直前の画面の表示サイズ、表示位置及び表示状態を、当該画面を表示させた前記表示設定情報に書き替える書替制御手段を備える。
【発明の効果】
【００１０】
請求項１に記載の発明によれば、ユーザ毎及び医用画像表示装置毎の表示設定情報に基づいて各種画面をモニタ上に表示できる。従って、医用画像表示装置のモニタ構成が異なっていても、医用画像表示装置毎に各ユーザが所望する表示設定で画面を表示させることができる。つまり、異なる医用画像表示装置であっても、同じ表示設定情報であった場合には、同じ状態で各種画面をモニタ上に表示できるので、画面が表示された後にユーザ自身が各種画面の表示設定の調整をする手間を省くことができ、利便性が高い医用画像システムを提供することができる。
【００１１】
請求項２に記載の発明によれば、請求項１と同様の効果を得られるのは勿論のこと、ユーザ毎及び医用画像表示装置毎に各画面の種類毎の当該画面の表示サイズ、表示位置、表示状態を設定することができる。従って、各医用画像表示装置が有するモニタの数や各モニタの大きさ、解像度等のモニタ構成に影響されず、ユーザが所望する画面を所望する表示サイズ、表示位置及び表示状態で表示させることができるため、医用画像システムの利便性を向上させることができる。
【００１２】
請求項３に記載の発明によれば、請求項１又は２と同様の効果を得られるのは勿論のこと、画面が閉じられる際に、当該画面が閉じられる直前の画面の表示サイズ、表示位置及び表示状態を表示設定情報として書き替えることができるため、各種画面の表示サイズ、表示位置及び表示状態に変更が生じたとしても、最新の表示設定情報を記憶しておくことができ、次回、当該画面を表示させる際には、この最新の表示設定情報で画面を表示させることができるため、表示設定情報の再設定の手間を省くことができ、利便性が向上される。
【発明を実施するための最良の形態】
【００１３】
以下、図を参照して本発明の実施の形態を詳細に説明する。
まず、構成を説明する。
図１に、本実施形態における医用画像システム１のシステム構成を示す。
医用画像システム１は、図１に示すように、複数のモダリティ２、医用画像管理装置３、ＮＡＳ（Network Attached Storage）４、複数の医用画像表示装置５、を備えて構成されており、各構成装置はネットワークＮを介して接続されている。ネットワークＮは、ＤＩＣＯＭ（Digital Imaging and Communication in Medicine）規格に従ったＬＡＮ（Local Area Network）である。また、ＤＩＣＯＭ規格によりＨＩＳ／ＲＩＳ６等の病院内の他の情報管理システムと互いに接続可能に構成されている。
【００１４】
なお、ＨＩＳはHospital Information Systemの略称であり、患者の個人情報、診療費の会計処理等を統括管理する病院情報システムである。また、ＲＩＳはRadiology Information Systemの略称であり、ＣＲ等の放射線検査等の予約、検査受付、検査データの読影、保管等を一貫して行う放射線科情報システムである。
【００１５】
医用画像システム１は、モダリティ２により撮影された医用画像の他、レポート等のデータをＮＡＳ４に保存し、医用画像管理装置３によりその入出力を管理するものである。医用画像管理装置３の制御により、ＮＡＳ４に保存された各データは医用画像表示装置５に出力される。以下、各構成装置について説明する。
【００１６】
モダリティ２は、患者を撮影し、その撮影画像（医用画像）を生成する画像生成装置である。モダリティ２としては、Ｘ線撮影装置、ＣＴ（Computed Tomography）撮影装置、ＭＲＩ（Magnetic Resonance Imaging）撮影装置、超音波／内視鏡撮影装置等、様々なものが挙げられる。撮影された医用画像はＮＡＳ４に送信される。なお、モダリティ２では撮影時に得られた医用画像に関する情報を医用画像に付加することが可能である。医用画像に関する情報としては、例えば患者の氏名、年齢等の患者情報や撮影日、モダリティ名、撮影条件等の撮影情報、医用画像のビット情報等の画像詳細情報等が挙げられる。これらの情報はモダリティ２において撮影技師が入力することにより得ることとしてもよいし、外部装置から入力されたものを得ることとしてもよい。
【００１７】
医用画像管理装置３は、ＮＡＳ４に保存された各種データの管理を統括的に行うものである。図２に、医用画像管理装置３の構成を示す。
医用画像管理装置３は、図２に示すように、制御部３１、記憶部３２、ＲＡＭ（Random Access Memory）３３、通信部３４等を備えて構成されている。
【００１８】
制御部３１は、ＣＰＵ（Central Processing Unit）等から構成されており、記憶部３２に記憶されている各種制御プログラムをＲＡＭ３３に展開して、これら制御プログラムとの協働により演算を行う、或いは各部３２〜３４の集中制御を行う。
【００１９】
記憶部３２は、ＨＤＤ（Hard Disc）や半導体の不揮発性メモリにより構成されており、制御部３１において用いられる各種制御プログラムの他、プログラムの実行に必要なパラメータやユーザテーブル３２１、表示装置テーブル３２２、モニタ構成テーブル３２３、モニタテーブル３２４等の各種テーブル、各種データ等を記憶している。また、本実施の形態において、記憶部３２は、表示設定テーブル３２５等の必要なデータを記憶している。
【００２０】
図３に、ユーザテーブル３２１の例を示す。図３に示すように、ユーザテーブル３２１には、ユーザ名、ユーザＩＤ（予めユーザを識別するために付与された番号（ユーザ識別情報））、パスワード、生年月日等の各ユーザの情報が対応付けられている。
【００２１】
図４に、表示装置テーブル３２２の例を示す。図４に示すように、表示装置テーブル３２２には、表示装置ＩＤ（予め医用画像表示装置５を識別するために付与された表示装置識別情報）、医用画像表示装置名、当該医用画像表示装置が有するモニタの構成を示すモニタ構成ＩＤが各医用画像表示装置に対応付けられている。
【００２２】
図５に、モニタ構成テーブル３２３の例を示す。図５に示すように、モニタ構成テーブル３２３には、モニタ構成ＩＤと当該構成を形成するモニタのモニタＩＤ（モニタを識別するために予め付与された識別情報）とが対応付けられている。
【００２３】
図６に、モニタテーブル３２４の例を示す。図６に示すように、モニタテーブル３２４は、各モニタの解像度や表示画面サイズ、最高輝度等の各モニタの情報がモニタＩＤと対応付けられている。
【００２４】
従って、表示装置テーブル３２２はモニタ構成ＩＤによりモニタ構成テーブル３２３と関連付けられており、モニタ構成テーブル３２３はモニタＩＤによりモニタテーブル３２４と関連付けられている。このように表示装置テーブル３２２、モニタ構成テーブル３２３、モニタテーブル３２４が形成されていることにより、各医用画像表示装置が有するモニタの構成、当該構成を形成する各モニタの情報を抽出することができる。
【００２５】
図７に、表示設定テーブル３２５の例を示す。
図７に示すように、表示設定テーブル３２５は、ユーザＩＤ、ユーザＩＤに対応付けられた表示装置ＩＤ、表示装置ＩＤに対応付けられた各種画面の表示設定情報が対応付けられて記憶されている。即ち、表示設定テーブル３２５を記憶する記憶部３２は記憶手段としての機能を実現する。
【００２６】
表示設定テーブル３２５のユーザＩＤは、ユーザテーブル３２１に記憶されているユーザＩＤに対応するものであり、また、表示設定テーブル３２５の表示装置ＩＤは、表示装置テーブル３２２に記憶されている表示装置ＩＤに対応するものである。
【００２７】
表示設定情報は、表示装置ＩＤに対応する医用画像表示装置５が有するモニタに表示される画面の種類、当該各画面の表示サイズ、当該各画面の表示位置、当該各画面の表示状態を示す情報等から成る。
【００２８】
なお、画面の種類としては、例えば、患者リストデータを表示する患者リスト画面、医用画像データを表示する読影画面、レポートデータを表示するレポート画面、読影データと比較させる比較用医用画像データを表示する比較読影画面、電子カルテデータを表示する電子カルテ画面等を挙げることができる。
【００２９】
表示位置は、医用画像表示装置５が有するモニタの表示画面上の座標として示しており、複数のモニタを有する場合（マルチモニタの場合）には、当該複数のモニタの表示画面を共通の座標上とした際の座標（Ｘ座標、Ｙ座標）である。
【００３０】
表示状態としては、例えば、モニタの表示画面全体に表示する最大化状態、モニタ上から一時的に隠した状態又はアイコンやボタンとして表示する最小化状態、設定されたサイズで表示し任意の位置に移動可能な状態で表示するサイズ表示状態（フローティング）等をあげることができる。
【００３１】
例えば、ユーザＩＤ「０００１」のユーザが表示装置ＩＤ「００１」の医用画像表示装置５を使用する際の表示設定情は、「患者リスト画面」を「２００×１８０」（ｍｍ）のサイズで、Ｘ座標「０」、Ｙ座標「２４０」の位置に最大化状態で表示させ、「読影画面」を「５００×１０００」（ｍｍ）のサイズで、Ｘ座標「１０００」、Ｙ座標「１００」の位置にサイズ表示する等が定められている。
【００３２】
ＲＡＭ３３は、制御部３１により実行制御される各種処理において、記憶部３２から読み出された制御部３１で実行可能な各種プログラム、入力若しくは出力データ、及びパラメータ等の一時的に記憶するワークエリアを形成する。
【００３３】
通信部３４は、ネットワークインターフェイスカード等の通信用インターフェイスを備え、ネットワークＮ上の外部装置と通信を行う。例えば、医用画像表示装置５から当該医用画像表示装置５の表示装置ＩＤやユーザのログイン情報（ユーザＩＤ等）等を受信し、必要なデータを送信する。
【００３４】
ＮＡＳ４は、大容量メモリを備えて構成され、医用画像データの他、レポート等の医用画像に関する各種データを記憶している。ＮＡＳ４は医用画像管理装置３の制御に従って指示されたデータを指示された外部装置へ出力する。
【００３５】
医用画像表示装置５は、医師の医用画像の読影時や診療作業時に用いられるものであり、一又は複数のモニタを備えて、このモニタに対象データを表示するＰＣ（Personal Computer）等の端末装置である。図４に、医用画像表示装置５の構成を示す。
【００３６】
図８に示すように、医用画像表示装置５は、制御部５１、記憶部５２、ＲＡＭ５３、操作部５４、表示部５５、通信部５６、その他画像処理部、画像メモリ等を備えて構成されている。
【００３７】
制御部５１は、ＣＰＵ等を備えて構成され、記憶部５２に記憶されている各種制御プログラムを読み出してＲＡＭ５３に展開し、これら制御プログラムとの協働により各種演算を行うとともに各部５２〜５６等の集中制御を行う。
【００３８】
記憶部５２は、ＨＤＤ（Hard Disc）や半導体の不揮発性メモリにより構成されており、制御部５１において実行される各種制御プログラムの他、プログラムの実行に必要なパラメータ、データ、自装置を識別するための表示装置ＩＤ等を記憶している。
【００３９】
ＲＡＭ５３は、制御部５１により実行制御される各種処理において、記憶部５２から読み出された制御部５１で実行可能な各種プログラム、入力若しくは出力データ、及びパラメータ等の一時的に記憶するワークエリアを形成する。また、本実施の形態においては、ログインしたユーザのユーザＩＤ、表示部５５のモニタ上に表示されている各種画面の種類、表示サイズ、表示状態等を一時的に保持している。
【００４０】
操作部５４は、カーソルキー、数字入力キー、及び各種機能キー等を備えたキーボードと、マウス等のポインティングデバイスを備えて構成され、キーボードで押下操作されたキーの押下信号又はマウスによる操作信号を、制御部５１に出力する。
【００４１】
表示部５５は、例えば、ＣＲＴ（Cathode Ray Tube）やＬＣＤ（Liquid Crystal Display）等の一または複数のモニタ５５ａを備え、これらモニタ５５ａに医用画像データやレポートデータ等の各種データの画面、電子カルテ画面等の操作画面等、各種データを表示する。このモニタ５５ａには、前述したように個々にモニタＩＤが付されており、モニタ５５ａを有する医用画像表示装置５の表示装置ＩＤ、モニタＩＤの情報が予め医用画像表示装置５において登録され、表示装置テーブル及びモニタテーブルにおいて管理されている。
【００４２】
通信部５６は、通信用インターフェイスを備え、ネットワークＮ上の外部装置と通信を行う。例えば、医用画像管理装置３に医用画像等の対象データを要求する要求情報を送信し、ＮＡＳ４から対象データを受信する。
【００４３】
次に、本実施の形態の動作を説明する。
本実施の形態における医用画像システム１では、何れの医用画像表示装置５にログインしてもそのログインしたユーザ及び医用画像表示装置５に対応した表示設定情報を医用画像管理装置３から取得して利用することが可能である。
【００４４】
図９に、本実施の形態における医用画像表示装置５のログイン時において、医用画像表示装置５と医用画像管理装置３とにおいて実行される画面表示処理のフローチャートを示す。
【００４５】
図９に示す画面表示処理は、医用画像管理装置３の制御部３１と記憶部３２に記憶された当該処理プログラム及び各種テーブルやデータと、医用画像表示装置５の制御部５１と記憶部５２に記憶された当該処理プログラム及び各種データ又は医用画像管理装置３の記憶部３２からダウンロードしてＲＡＭ５３内に格納されたプログラム及び各種データとの協働によるソフトウエア処理により実現される処理であり、当該処理の実行により、表示制御手段が実現される。
【００４６】
医用画像表示装置５では、操作部５４を介して医師によりログイン操作が行われ（ステップＳ１）、制御部５１により当該ログイン操作により入力されたユーザ名（又はユーザＩＤ）によりユーザＩＤが取得されたか否かが判別され（ステップＳ２）、ユーザＩＤが取得されなかったと判別された場合（ステップＳ２；Ｎｏ）には、再度ユーザを特定するためにステップＳ１に戻る。
【００４７】
医用画像表示装置５の制御部５１において、ユーザＩＤが取得されたと判別された場合（ステップＳ２；Ｙｅｓ）、ユーザＩＤ及びパスワード等のログイン情報と、ログインが行われた医用画像表示装置５の記憶部５２に予め記憶されている当該医用画像表示装置５の表示装置ＩＤと、が通信部５６を介して医用画像管理装置３に送信される（ステップＳ３）。
【００４８】
医用画像管理装置３では、制御部３１により、通信部３４を介して何れかの医用画像表示装置５からユーザＩＤを含むログイン情報と表示装置ＩＤとが受信されたか否かが判別され（ステップＳ４）、ユーザＩＤを含むログイン情報と表示装置ＩＤとが受信されていないと判別された場合（ステップＳ４；Ｎｏ）、受信されるまで待機する（ステップＳ４に戻る）。
【００４９】
医用画像管理装置３の制御部３１において、ユーザＩＤを含むログイン情報と表示装置ＩＤとが受信されたと判別された場合（ステップＳ４；Ｙｅｓ）、ログイン操作が行われたと判別され、受信されたユーザＩＤを含むログイン情報と記憶部３２内のユーザテーブル３２１とに基づいてユーザ認証が行われる。また、表示装置ＩＤと表示装置テーブル３２２とに基づいてログインされた医用画像表示装置５が特定される。更に、ログイン情報に含まれるユーザＩＤ及び表示装置ＩＤと、記憶部３２内の表示設定テーブル３２５が参照されて、当該該当する表示設定情報が検索される（ステップＳ５）。
【００５０】
医用画像管理装置３の制御部３１において、ユーザ認証、医用画像表示装置５の特定がなされ、認証されたユーザ及び特定された医用画像表示装置５に対する検索された表示設定情報が通信部３４を介して特性された医用画像表示装置５に送信される（ステップＳ６）。
【００５１】
医用画像表示装置５では、制御部５１により通信部５６を介して医用画像管理装置３から表示設定情報が受信されたか否かが判別され（ステップＳ７）、表示設定情報が受信されないと判別された場合（ステップＳ７；Ｎｏ）、ログインが失敗したものとしてステップＳ１に戻る。
【００５２】
医用画像表示装置５の制御部５１により、表示設定情報が受信されたと判別された場合（ステップＳ７；Ｙｅｓ）、受信された表示設定情報に基づいて各種画面がモニタ５５ａ上に表示され（ステップＳ８）、本処理は終了される。
【００５３】
図１０に、本実施の形態における医用画像表示装置５のモニタ５５ａに表示されている画面が閉じられる際において、医用画像表示装置５と医用画像管理装置３とにおいて実行される表示設定情報書替処理のフローチャートを示す。
【００５４】
図１０に示す表示設定情報書替処理は、医用画像管理装置３の制御部３１と記憶部３２に記憶された当該処理プログラム及び各種テーブルやデータと、医用画像表示装置５の制御部５１と記憶部５２に記憶された当該処理プログラム及び各種データ又は医用画像管理装置３の記憶部３２からダウンロードしてＲＡＭ３３内に格納されたプログラム及び各種データとの協働によるソフトウエア処理により実現される処理であり、当該処理の実行により、書替制御手段が実現される。
【００５５】
医用画像表示装置５のモニタ５５ａにおいて、上述した図９に示す処理により各種画面が表示されている（ステップＳ１１）。医用画像表示装置５の制御部５１では、操作部５４を介してモニタ５５ａに表示された各種画面のうちいずれか一つの画面が医師により閉じる操作が行われたか否かが判別され（ステップＳ１２）、画面を閉じる操作が行われていないと判別された場合（ステップＳ１２；Ｎｏ）、画面を閉じる操作が行われるまで待機する（ステップＳ１２に戻る）。
【００５６】
医用画像表示装置５の制御部５１により、画面を閉じる操作が行われたと判別された場合（ステップＳ１２；Ｙｅｓ）、当該閉じる操作が行われた画面（以下、閉画面ともいう。）に関する表示設定情報の書替指示と、当該医用画像表示装置５がログインされた際に取得されたユーザＩＤ、当該医用画像表示装置５の記憶部５２に予め記憶されている当該医用画像表示装置５の表示装置ＩＤ、閉画面の種類、閉画面に対して閉じる操作が行われた際の表示サイズ、表示位置、表示状態等を含む閉画面情報とが、通信部５６を介して医用画像管理装置３に送信され（ステップＳ１３）、閉じる操作が行われた画面がモニタ５５ａ上から消去され閉じられる（ステップＳ１４）。
【００５７】
医用画像管理装置３では、制御部３１により、通信部３４を介して何れかの医用画像表示装置５から表示設定情報の書替指示が受信されたか否かが判別され（ステップＳ１５）、表示設定情報の書替指示が受信されていないと判別された場合（ステップＳ１５；Ｎｏ）、受信されるまで待機する（ステップＳ１５に戻る）。
【００５８】
医用画像管理装置３の制御部３１において、表示設定情報の書替指示が受信されたと判別された場合（ステップＳ１５；Ｙｅｓ）、受信された表示設定情報の書替指示と共に受信した表示装置ＩＤと表示装置テーブル３２２とに基づいて表示背定情報の書替指示がされた医用画像表示装置５が特定される。また、受信された表示設定情報の書替指示と共に受信したユーザＩＤ、表示装置ＩＤと記憶部３２に記憶されている表示設定テーブル３２５とが参照され、書き替えられる表示設定情報が特定される。特定された表示設定情報に対して、受信された表示設定情報の書替指示と共に受信した閉画面の種類、閉画面に対して閉じる操作が行われた際の表示サイズ、表示位置、表示状態が書き替えられる（ステップＳ１６）。
【００５９】
医用画像管理装置３の制御部３１において、表示設定情報が書替えられると、書替完了を示す信号が通信部３４を介して特定された医用画像表示装置５に送信される（ステップＳ１７）。
【００６０】
医用画像表示装置５では、制御部５１において、通信部５６を介して表示設定情報の書替指示が送信され、閉じる操作が行われた画面が閉じられた後、書替完了を示す信号が受信されると、ＲＡＭ５３に保持されていた閉画面情報が消去され（ステップＳ１８）、本処理が終了される。なお、書替完了を示す信号が受信されない場合には、ステップＳ１３に戻ることが好ましい。
【００６１】
以上のように、本実施の形態によれば、ユーザ毎及び医用画像表示装置５毎の表示設定情報に基づいて各種画面をモニタ５５ａ上に表示できる。従って、医用画像表示装置５のモニタ構成が異なっていても、医用画像表示装置５毎に各ユーザが所望する表示設定で画面を表示させることができ、画面が表示された後にユーザ自身が各種画面の表示設定の調整をする手間を省くことができ、利便性が高い医用画像システム１を提供することができる。
【００６２】
特に、ユーザ毎及び医用画像表示装置５毎に各画面の種類毎の当該画面の表示サイズ、表示位置、表示状態を設定することができる。従って、各医用画像表示装置５が有するモニタの数や各モニタ５５ａの大きさ、解像度等のモニタ構成に影響されず、ユーザが所望する画面を所望する表示サイズ、表示位置及び表示状態で表示させることができるため、医用画像システム１の利便性を向上させることができる。
【００６３】
また、画面が閉じられる際に、当該画面が閉じられる直前の画面の表示サイズ、表示位置及び表示状態を表示設定情報として書き替えることができるため、各種画面の表示サイズ、表示位置及び表示状態に変更が生じたとしても、最新の表示設定情報を記憶しておくことができ、次回、当該画面を表示させる際には、この最新の表示設定情報で画面を表示させることができるため、表示設定情報の再設定の手間を省くことができ、利便性が向上される。
【００６４】
なお、本発明は、上記実施の形態の内容に限定されるものではなく、本発明の主旨を逸脱しない範囲で適宜変更可能である。
【図面の簡単な説明】
【００６５】
【図１】本実施形態における医用画像システムのシステム構成を示す図である。
【図２】医用画像管理装置の構成を示す図である。
【図３】ユーザテーブルの例を示す図である。
【図４】表示装置テーブルの例を示す図である。
【図５】モニタ構成テーブルの例を示す図である。
【図６】モニタテーブルの例を示す図である。
【図７】表示設定テーブルの例を示す図である。
【図８】医用画像表示装置の構成を示す図である。
【図９】画面表示処理のフローチャートを示す図である。
【図１０】表示設定情報書替処理のフローチャートを示す図である。
【符号の説明】
【００６６】
１  医用画像システム
２  モダリティ
３  医用画像管理装置
４  ＮＡＳ
５  医用画像表示装置
３１  制御部
３２  記憶部
３２５  表示設定テーブル
３３  ＲＡＭ
３４  通信部
５１  制御部
５２  記憶部
５３  ＲＡＭ
５４  操作部
５５  表示部
５５ａ  モニタ
５６  通信部
Ｎ  ネットワーク
【図１】
2008229244.tif 000003
【図２】
2008229244.tif 000004
【図３】
2008229244.tif 000005
【図４】
2008229244.tif 000006
【図５】
2008229244.tif 000007
【図６】
2008229244.tif 000008
【図７】
2008229244.tif 000009
【図８】
2008229244.tif 000010
【図９】
2008229244.tif 000011
【図１０】
2008229244.tif 000012